(57)【要約】  本発明の一実施例は、内部に空き空間が形成された洗浄パッドにおいて、前記洗浄パッドの一端に形成された洗剤投入部と、前記洗剤投入部の両末端から延長されて前記洗浄パッドの他端を密封する密封部を含み、前記洗剤投入部が前記洗浄パッドの外部から内部に向かって折畳および固定された構造を有する洗浄パッドを提供する。
2019535404.tif 000002
【特許請求の範囲】
【請求項１】
内部に空き空間が形成された洗浄パッドにおいて、前記洗浄パッドの一端に形成された洗剤投入部と、前記洗剤投入部の両末端から延長されて前記洗浄パッドの他端を密封する密封部を含み、
前記洗剤投入部が前記洗浄パッドの外部から内部に向かって折畳および固定された構造を有する洗浄パッド。
【請求項２】
前記洗浄パッドが、単一の繊維生地が折畳および縫製されて形成される請求項１に記載の洗浄パッド。
【請求項３】
前記繊維生地が複数の空隙を含む外層と、前記外層の間に介在した内層を含み、
前記外層が前記内層によって相互に連結されて一体型の構造を有する請求項２に記載の洗浄パッド。
【請求項４】
前記繊維生地がポリエステル原糸、ポリプロピレン原糸、ポリエチレン原糸、低密度ポリエチレン原糸、高密度ポリエチレン原糸およびこれらのうち、２以上の混合原糸からなる群から選択された１つである請求項２に記載の洗浄パッド。
【請求項５】
前記原糸の太さが３００ないし８００デニール（Ｄｅｎｉｅｒ）である請求項４に記載の洗浄パッド。
【請求項６】
前記繊維生地の厚さが５ないし１０ｍｍである請求項２に記載の洗浄パッド。
【請求項７】
前記繊維生地の空隙率が１０ないし３０体積％である請求項２に記載の洗浄パッド。
【請求項８】
前記洗浄パッドが５ないし１５ｍｍの縫代部を含む請求項１に記載の洗浄パッド。
【発明の詳細な説明】
【技術分野】
【０００１】
本発明は、使いやすく、洗浄力および抗菌性に優れた洗浄パッドに関する。
【背景技術】
【０００２】
各種汚染は、水だけでもある程度きれいにすることができるが、ほとんどの場合、汚染を除去するために洗剤の使用が要求される。洗剤は、一般的に石鹸と合成洗剤で大別し得る。前記石鹸は、最も古い洗剤として動植物の油と水酸化ナトリウムを混ぜて沸かして作り、合成洗剤は、石油化合物から出る原料で作られた界面活性剤に各種添加剤を混ぜて作る。
【０００３】
前記石鹸および合成洗剤の主成分である界面活性剤は、分子内に親油基と親水基をすべて含み、汚染物質を除去するのに重要な役割をする。具体的には、洗剤が洗浄物と汚染物質の間に浸透すれば、界面活性剤の分子の親水基は、水側へ、親油基は、汚染物質の側へ向かいながら、吸着および配列されて洗浄物と汚染物質間の結合力を弱化、膨潤させて分離できる状態にする。これとともに、洗浄物に物理的な力を加えれば、汚染物質を容易に除去できる。
【０００４】
しかし、洗剤を過度に使用する場合、様々な問題点が発生し、特に、食器を洗浄する厨房用洗剤の場合は、使用中に使用者の肌に直接触れるため、手、爪などに継続的に露出され、肌の保護膜を除去して主婦湿疹などの皮膚疾患を誘発し得る。また、食器に残留する場合には、これらの洗剤成分が使用者に経口で直接投与され、保健衛生に悪影響を与え得る。
【０００５】
一般的に、厨房用洗剤は、液体タイプで使用されるが、これらの液体タイプは、重さおよび重量感が大きいため、携帯や保管が容易ではなく、使用時に量の調節が難しく、必要な量よりも過度に使用される。これにより、固体タイプの厨房用洗剤を開発したが、固体タイプの場合は、使用後に消耗するまで外部環境に露出されるため、細菌の繁殖が容易になる可能性があり、衛生的管理が困難になる。また、使用によって固体タイプの厨房用洗剤のサイズが減りながら、使用者が泡立てる過程で不便さを感じる。
【０００６】
したがって、固体タイプの厨房用洗剤の衛生的管理が可能であり、使用性や洗浄力に優れた洗浄パッドを開発しようとする。
【発明の概要】
【発明が解決しようとする課題】
【０００７】
本発明は、前述した従来技術の問題点を解決するためのものであって、本発明の目的は、洗浄パッド内に固形洗剤が備えられ、使用性および抗菌性が優れるとともに洗浄力に優れた洗浄用パッドの構造を提供する。 
【課題を解決するための手段】
【０００８】
本発明の一側面は、内部に空き空間が形成された洗浄パッドにおいて、前記洗浄パッドの一端に形成された洗剤投入部と、前記洗剤投入部の両末端から延長されて前記洗浄パッドの他端を密封する密封部を含み、前記洗剤投入部が前記洗浄パッドの外部から内部に向かって折畳および固定された構造を有する洗浄パッドを提供する。
【０００９】
一実施例において、前記洗浄パッドが、単一の繊維生地が折畳および縫製されて形成され得る。
【００１０】
一実施例において、前記繊維生地が複数の空隙を含む外層と、前記外層の間に介在した内層を含み、前記外層が前記内層によって相互連結されて一体型の構造を有し得る。
【００１１】
一実施例において、前記繊維生地がポリエステル原糸、ポリプロピレン原糸、ポリエチレン原糸、低密度ポリエチレン原糸、高密度ポリエチレン原糸およびこれらのうち、２以上の混合原糸からなる群から選択された１つであり得る。
【００１２】
一実施例において、前記原糸の太さが３００ないし８００デニール（Ｄｅｎｉｅｒ）であり得る。
【００１３】
一実施例において、前記繊維生地の厚さが５ないし１０ｍｍであり得る。
【００１４】
一実施例において、前記繊維生地の空隙率が１０ないし３０体積％であり得る。
【００１５】
一実施例において、前記洗浄パッドが５ないし１５ｍｍの縫代部を含み得る。
【発明の効果】
【００１６】
本発明の一実施例による洗浄パッドは、内部に空き空間が形成され、その内部に固形洗剤を備えることができ、洗剤投入部が洗浄パッドの内部に折畳され固定されることにより、投入は容易であるが、排出が困難であり使用性を向上させ得る。また、洗浄パッドを成す繊維生地が空隙を含む一体型の構造を含み、豊富なバブルの発生および維持により、優れた洗浄力を具現できる。
【００１７】
本発明の効果は、前述した効果に限定されるものではなく、本発明の具体的な説明または請求の範囲に記載された発明の構成から推論可能なすべての効果を含むものと理解されるべきである。
【図面の簡単な説明】
【００１８】
【図１】本発明の一実施例による洗浄パッドを図式化したものである。
【図２】本発明の一実施例による繊維生地の一体型の構造を図式化したものである。
【図３】本発明の一実施例による洗剤投入部が形成された洗浄パッドの断面図である。
【発明を実施するための形態】
【００１９】
以下では、添付した図面を参照して本発明を説明する。しかし、本発明は、様々な異なる形として具現でき、したがって、ここで説明する実施例に限定されるものではない。そして、図面で本発明を明確に説明するために説明と関係ない部分は省略し、明細書の全体を通じて同様の部分については同様の図面符号を付けた。
【００２０】
明細書の全体において、ある部分が他の部分と「連結」されているというとき、これは「直接的に連結」されている場合だけではなく、その中間に他の部材を挟んで「間接的に連結」されている場合も含む。また、ある部分がある構成要素を「含む」とするとき、これは特別に反対する記載がない限り、他の構成要素を除外するのではなく、他の構成要素をさらに備えることができることを意味する。
【００２１】
以下、添付した図面を参考して本発明の実施例を具体的に説明する。
【００２２】
図１は、本発明の一実施例による洗浄パッドを図式化したものである。図１を参照すると、本発明の一実施例による洗浄パッドは、内部に空き空間が形成された洗浄パッド１０と、前記洗浄パッド１０の一端に形成された洗剤投入部２０と、前記洗剤投入部２０の両末端から延長されて前記洗浄パッド１０の他端を密封する密封部３０と、を含み得る。
【００２３】
前記洗浄パッド１０は、洗浄物、すなわち、食器に適用して擦るか、または擦りながら汚染物質を除去する役割ができる。前記洗浄パッド１０は、単一の繊維生地が折畳および縫製されて形成され得る。前記繊維生地を折ったり重ねてその端を縫製することができ、このとき、洗剤投入部２０を除いて縫製することが好ましい。前記縫製は、針仕事やミシンで行われることができるが、これに限定されない。
【００２４】
また、前記洗浄パッド１０が５ないし１５ｍｍの縫代部を含み得る。本明細書に使用される用語「縫い代」は、縫製線から生地の端までの幅をいう。前記縫代部は、洗浄パッド１０の外側または内側に位置し得るが、前記縫代部が前記洗浄パッド１０の外側に位置する場合は、使用者が洗浄時に縫代部が使用者の肌を刺激して皮膚疾患および不便さを感じることができる。したがって、洗浄パッド１０の使用性および審美性を考慮したとき、前記縫代部は、前記洗浄パッド１０の内側に位置するように整理することが好ましい。
【００２５】
また、前記繊維生地の裁断時、縫代部として使用される部分を勘案して裁断することが好ましい。前記裁断の規格は、定められていないが、通常的に、使用者の利便性、携帯性および保管性を考慮して前記繊維生地を基準に横２００ないし３００ｍｍ、縦７０ないし１３０ｍｍの範囲で設計され得る。
【００２６】
図２は、本発明の一実施例による繊維生地の一体型の構造を図式化したものである。図２を参照すると、前記繊維生地は、複数の空隙を含む外層１１および前記外層１１の間に介在した内層１２を含み、前記外層１１が前記内層１２によって相互連結されて一体型の構造を有し得る。具体的には、相互に平行に設けられる外層１１と、前記外層１１の間に介在した内層１２を含み得る。
【００２７】
前記外層１１を相互に連結する前記内層１２の原糸は、緩い構造として不規則的に配列されて原糸の間に空間、すなわち、空隙が形成され、前記空隙に固形洗剤が投入されることにより、バブルを容易に発生させることができる。また、単一層として製織されるにもかかわらず、２つの外層１１が内層１２によって連結される立体構造を有するため、生地を３層以上に積層した場合のようなクッション感を付与し、耐久性と洗浄力を向上させ得る。
【００２８】
このような構造の繊維生地は、ラッセル機によって製織されることができる。前記ラッセル機は、経編織物の編機として天然または人造の各種繊維の紡績糸やフィラメント糸を編糸に使用し、鎖編みを基本にして他の編み組職を組み合わせて織物を製織する。経編織物とは、縦方向から原糸が供給されて縦方向にループ（１００ｐ）を作って行く織物である。
【００２９】
経編織物の一般的な製織の順序は、各種レースで編んだかぎ針を前のループに通し、かぎ針に新しい原糸をかけてループの中に原糸を引抜いて新しいループを作り、この作業を繰り返すとチェーンステッチ（Ｃｈａｉｎ  Ｓｔｉｔｃｈ）、すなわち、鎖編組織であり、これが経編織物の基本組職である。しかし、基本組織だけでは、織物を成すことができないため、新しいループを作るとき、編糸を供給するガイド（Ｇｕｉｄｅ）を左右に交互に移すことにより、左右のループが互いに連結されて織物が製織されることができる。
【００３０】
前記ラッセル機は、製織時、編針と編糸を供給するガイドまたはガイド針にそれぞれ供給してくれる編糸をビーム（Ｂｅａｍ）に巻いてラッセル機にかけなければならず、ビームとガイドの数および針状は、経編織物の組職の種類によって異なる。針状が一行の場合、１列針状または単針状という。前記単針状のラッセル機をシングルラッセル機（Ｓｉｎｇｌｅ  Ｒａｓｃｈｅｌ）といい、２列針状のラッセル機をダブルラッセル機（Ｄｏｕｂｌｅ  Ｒａｓｃｈｅｌ）という。
【００３１】
前記繊維生地は、２つの外層１１が、その間に介在した内層１２によって相互連結される立体構造を有するため、１列針状のシングルラッセル機よりも２列針状のダブルラッセル機として製織されることが好ましい。
【００３２】
また、前記外層１１は、網状構造であり得る。一般的に、洗浄パッドは、洗浄中の汚染物質を除去する役割を果たすため、洗浄後に汚染物質が残留することができ、細菌繁殖の危険性が存在する。さらに、細菌が繁殖した洗浄パッドで食器を洗浄する場合には、使用者の細菌感染率が高くなり、特に、老弱者や子供など免疫力が低い使用者に致命的な影響を与えることができる。前記網状構造である外層１１、すなわち、本発明による洗浄パッド１０は、洗浄後に速い乾燥が可能で細菌繁殖を防止でき、衛生的な管理が容易になる。
【００３３】
一方、前記繊維生地がポリエステル原糸、ポリプロピレン原糸、ポリエチレン原糸、低密度ポリエチレン原糸、高密度ポリエチレン原糸およびこれらのうち、２以上の混合原糸からなる群から選択された１つであり得る。
【００３４】
前記ポリエステル（Ｐｏｌｙｅｓｔｅｒ）は、生産性に優れた樹脂であって、これを用いて製造した生地は、耐久性に優れ、虫、かびなどに強く、長期間の保管が容易である。また、原子間の結合力が高く、水分の吸収率が低いため、水に濡れても短時間内に乾燥が可能である。
【００３５】
前記ポリプロピレン（Ｐｏｌｙｐｒｏｐｙｌｅｎｅ）は、ポリエステルとともに生地の製造時に広く使用される樹脂である。特に、ポリプロピレン生地は、ポリエステル生地に比べて織物構造対比軽量性が高く、着心地に優れ、人体から発生する汗を迅速に吸収し、外部に排出する発汗効果により、常に快適な状態を維持できる。また、低い熱伝導率による保温断熱性に優れ、水分率が「０」に近いため、抗菌性に優れる。
【００３６】
前記ポリエチレン（Ｐｏｌｙｅｔｈｙｌｅｎｅ）は、熱可塑性樹脂であって、優れた電気絶縁性、引張強さ、防水性があり、価格が安く、加工が容易で日常生活用品に多く使用される。
【００３７】
前記ポリエチレンの種類は、密度に応じて高密度ポリエチレン（Ｈｉｇｈ  Ｄｅｎｓｉｔｙ  Ｐｏｌｙｅｔｈｙｌｅｎｅ、ＨＤＰＥ）、低密度ポリエチレン（Ｌｏｗ  Ｄｅｎｓｉｔｙ  Ｐｏｌｙｅｔｈｙｌｅｎｅ、ＬＤＰＥ）、線形低密度ポリエチレン（Ｌｉｎｅａｒ  Ｌｏｗ  Ｄｅｎｓｉｔｙ  Ｐｏｌｙｅｔｈｙｌｅｎｅ、ＬＬＤＰＥ）などに区分され得る。前記低密度ポリエチレンは、主鎖（Ｍａｉｎ  Ｃｈａｉｎ）に連結される側鎖（Ｓｉｄｅ  Ｃｈａｉｎ）が多く、パッキング能力が低いため、高密度ポリエチレンよりも結晶性が低下する問題点がある。
【００３８】
一般的に繊維原糸は、溶融した樹脂組成物を紡糸した後に延伸して製造できる。紡糸工程は、繊維を作ることができる高分子物質を溶融して微細な穴を介して糸を抜き出すことをいう。前記紡糸工程直後の繊維は、分子配列が不均一かつ強度が弱いため、これを延伸して繊維の方向性を整えさせることにより、強度を向上させ得る。
【００３９】
したがって、製造しようとする原糸のテーマになる樹脂を選択し、溶融、紡糸、延伸工程を経て原糸を製造できる。また、前記繊維生地の製造時に使用される原糸は、最終製品が具現しようとする物性、費用、およびこれから具現できる効果などを考慮して単独または混合原糸が選択され得る。
【００４０】
前記原糸の太さが３００ないし８００デニール（Ｄｅｎｉｅｒ）であり得る。前記原糸の太さが３００デニール（Ｄｅｎｉｅｒ）未満であれば、前記生地の空隙が小さくなり、洗剤バブルの発生が十分ではなくなり、洗浄力を低下させ、８００デニール（Ｄｅｎｉｅｒ）超過であれば、前記空隙が必要以上に大きくなり、前記洗浄パッドの耐久性を低下させる。
【００４１】
本明細書で使用される用語「デニール（Ｄｅｎｉｅｒ）」は、合成繊維や再生繊維または天然繊維のうち、シルクなど麺のように長いフィラメントの太さを示すときに使用される国際通用の単位で、原糸の長さが９０００ｍであるときの重さが１ｇであれば、１デニール（Ｄｅｎｉｅｒ）と定義する。例えば、１０デニール（Ｄｅｎｉｅｒ）は、長さが９０００ｍであるときに糸の重さが１０ｇ、１００デニール（Ｄｅｎｉｅｒ）は、長さが９０００ｍであるときに糸の重さが１００ｇである。デニール（Ｄｅｎｉｅｒ）の値が大きいほど太い原糸、小さいほど細い原糸を意味する。
【００４２】
前記繊維生地の厚さが５ないし１０ｍｍであり得る。前記繊維生地の厚さが５ｍｍ未満であれば、固形洗剤の投入量が少なくなり、洗浄力を低下させ、１０ｍｍ超過であれば、必要以上に厚くなり、使用性を低下させる。
【００４３】
前記繊維生地の空隙率が１０ないし３０体積％であり得る。前記繊維生地の空隙率が１０体積％未満であれば、固形洗剤の投入量が少なくなり、洗浄力を低下させ、３０体積％超過であれば、洗浄パッドの耐久性を低下させる。
【００４４】
一方、前記洗浄パッド１０は、内部に空き空間が形成され、前記洗剤投入部２０を介して固形洗剤を前記洗浄パッド１０の内部に投入できる。前記洗浄パッド１０の内部に固形洗剤を備えると、バブルを継続的に発生させるため、洗浄時に使用者の便利性を向上させ得、別の洗剤保管ケースまたは保管空間を備える必要がなく、キッチン環境を清潔に維持し得る。
【００４５】
前記洗剤投入部２０の長さが３５ないし４５ｍｍであり得、前記洗剤投入部２０の長さが３５ｍｍ未満であれば、固形洗剤の投入が困難な場合があり、４５ｍｍ超過であれば、洗剤投入部２０の長さが必要以上に大きくなり、使用性を低下させる。
【００４６】
前記固形洗剤のサイズは、前記洗剤投入部２０を通過できる範囲で調節し得、その形状は限定されないが、円形、楕円形、正方形などで使用者の嗜好度に合わせて製作し得る。また、前記の範囲で調節した固形洗剤は、３、４回の洗浄分量であり得るので、携帯や保管が便利で、外部に露出する時間が少なくなり、固形洗剤の衛生的管理が容易になる。
【００４７】
特に、使用後に洗浄パッド１０の内部に残留する固形洗剤が洗浄パッド１０の細菌増殖を抑制できる。
【００４８】
具体的に、一般的な洗浄パッドの場合は、使用後に水気を含んだ状態で維持され、食べ物が洗浄パッドで除去されない場合、細菌が容易に繁殖できる。一方、本発明の一実施例による洗浄パッドは、使用後にも前記固形洗剤がその内部の空き空間に一部残留するため、細菌の増殖を抑制できる。また、前記固形洗剤は、前述のように３、４回分量であるため、前記洗浄パッドに細菌の増殖抑制の効果を継続的に提供できる。
【００４９】
前記固形洗剤は、天然洗剤または合成洗剤であり得るが、これに限定されず、使用者の健康を考慮して天然洗剤を使用することが好ましい。前記天然洗剤は、天然材料をテーマにし、人工香、保存剤のような合成物質を添加せずに製造することで、簡単に脆くなる短所があるが、環境にやさしく、使用者の肌を保護できる長所がある。前記合成洗剤は、石油化学界面活性剤とリン酸塩などの自然状態で分解されない添加剤を使用して洗浄力は優れているが、環境汚染および使用者の皮膚疾患などを誘発し得る。
【００５０】
図３は、本発明の一実施例による洗剤投入部が形成された洗浄パッドの断面図である。図３を参照すると、前記洗剤投入部２０は、前記洗浄パッド１０の外部から内部に向かって折畳および固定された構造であり得る。前記洗剤投入部２０が外部に露出されると固形洗剤の投入は容易であるが、使用中に簡単に抜けて使用性を低下させ得る。したがって、前記洗剤投入部２０を前記洗浄パッド１０の外部から内部に折畳させ、好ましくは、三角の形に折り入れて前記洗浄パッド１０の上端と平行するように前記洗剤投入部２０の下端線を縫製して固定させる。
【００５１】
これにより、図３に示すように、前記洗剤投入部２０が前記洗浄パッド１０の内部に形成されることにより、前記洗浄パッドの内部に固形洗剤の投入は容易でありながら出にくい構造が形成されて使用者が洗浄中にも便利に食器を洗浄できる。
【００５２】
以下、本発明の実施例について具体的に説明する。
【００５３】
［実施例］
５００デニール（Ｄｅｎｉｅｒ）の高密度ポリエチレン原糸で太さが７ｍｍ、空隙率は２０体積％である繊維生地を製造した。
【００５４】
製造された繊維生地を横２６０ｍｍ、縦９０ｍｍで裁断したものを、横面を半分に折り、洗剤投入部を作る部分の４０ｍｍを除いた繊維生地の端をミシンで縫製して洗浄パッドの内部に空き空間を形成した。洗剤投入部を洗浄パッドの上端面と直角になるように三角の形で折り、洗浄パッドの外部から内部に向かって折畳させ、洗剤投入部の下端線を縫製して固定させて洗浄パッドを製造した。
【００５５】
［比較例１］
洗剤投入部を洗浄パッドの外部に形成させたことを除けば、実施例１と同じ方法で洗浄パッドを製造した。
【００５６】
［比較例２］
繊維生地を縫製せず洗剤投入部が別途に形成されない１重の形の洗浄パッドを製造した。
【００５７】
［実験例１：洗浄パッドの性能評価］
【００５８】
【表１】
2019535404.tif 000003
【００５９】
（相対的評価基準：◎  優秀、○  良好、△  普通、×  不良）
表１を参考すると、洗剤投入部が外部から内部に折畳および固定されて製造された洗浄パッドの場合（実施例）、すべての性能評価（洗浄力、使用性、衛生性、バブル発生程度）に優れることが分かった。特に、固形洗剤が洗浄パッドの内部に備えられているため、バブルが豊富に発生および維持され、これにより、洗浄力に優れ、固形洗剤が抜けず、使用者が不便なく食器を洗浄できると予想される。
【００６０】
これに反して、洗剤投入部を外部に露出した場合（比較例１）、固形洗剤が洗浄中に抜ける問題点が発生して使用性が不良で、これにより、継続的なバブル発生および維持が困難であり、実施例に比べて洗浄力が低下した。また、洗剤投入部を具備せず、１重の繊維生地で製造された洗浄パッドの場合（比較例２）、洗浄後の乾燥速度は最も速かったが、洗浄パッドが著しく薄くなって空隙が十分ではないため、バブルの発生が豊かではなく、これにより、洗浄力が相対的に不良であった。
【００６１】
［実験例２：固形洗剤の抗菌性能評価１（大腸菌）］
前記実施例の洗浄パッドを使用した後の残留する固形洗剤による細菌増殖抑制の性能評価のために、前記固形洗剤を粉末化した後に、粉末１ｇを３゜ＤＨ硬水（ＪＩＳＫ３３６２）９ｇに溶解させて１０ｗｔ％の溶液を製造した。
【００６２】
一方、ＤＩＦＣＯ社ブロス培地に大腸菌（ＮＢＲＣ３９７２）を０．３ｗｔ％濃度で接種してサンプルを準備した。ここに前記溶液０．５ｇを投入したサンプル１と、これを投入しないサンプル２を２５℃で１８時間放置した後に、３回にわたって生菌数を測定し、その結果を下記表２に示した。
【００６３】
【表２】
2019535404.tif 000004
【００６４】
［実験例３：固形洗剤の抗菌性能評価２（黄色ブドウ球菌）］
前記実施例の洗浄パッドを使用した後の残留する固形洗剤による細菌増殖抑制の性能評価のために、前記固形洗剤を粉末化した後に、粉末１ｇを３゜ＤＨ硬水（ＪＩＳＫ３３６２）９ｇに溶解させて１０ｗｔ％の溶液を製造した。
【００６５】
一方、ＤＩＦＣＯ社ブロス培地に黄色ブドウ球菌（ＮＢＲＣ１２７３２）を０．３ｗｔ％の濃度で接種してサンプルを準備した。ここに、前記溶液０．５ｇを投入したサンプル３と、これを投入しないサンプル４を２５℃で１８時間放置した後に、３回にわたって生菌数を測定し、その結果を下記表３に示した。
【００６６】
【表３】
2019535404.tif 000005
【００６７】
前述した本発明の説明は、例示のためのものであり、本発明が属する技術分野の通常の知識を有する者は、本発明の技術的思想や必須の特定を変更せず、他の具体的な形態で簡単に変形が可能であることを理解するであろう。したがって、以上で記述した実施例は、すべての面で例示的なものであり、限定的ではないと理解するべきである。例えば、単一型に説明される各構成要素は、分散して実施され得、同様に分散したものと説明される構成要素も結合された形で実施され得る。
【００６８】
本発明の範囲は、後述する請求の範囲によって示され、請求の範囲の意味および範囲、そして、その均等概念から導出されるすべての変更または変形された形が本発明の範囲に含まれるものと解釈されるべきである。
【符号の説明】
【００６９】
１０：洗浄パッド
１１：外層
１２：内層
２０：洗剤投入部
３０：密封部
【図１】
2019535404.tif 000006
【図２】
2019535404.tif 000007
【図３】
2019535404.tif 000008
【国際調査報告】
2019535404.tif 000009
2019535404.tif 000010
2019535404.tif 000011
2019535404.tif 000012